(57)【要約】      （修正有）【課題】効率的に酸処理を施すことができる海苔網の酸処理船を提供する。【解決手段】酸処理液１１を収容する酸処理槽１５と、該酸処理槽１５内に設けられる海苔網を巻き取る巻取ロール２０、２０と、前記酸処理槽１５の中央部に懸架された支持部材２５と、該支持部材２５から前記酸処理槽１５の酸処理液１１に垂下するシート状部材３０と、前記酸処理槽１５内に酸処理液１１の酸原液Ｚを供給する酸原液供給装置４０と、酸処理液を一定のｐＨ値に制御する制御部５０とを備えた海苔網の酸処理船Ａであって、前記酸原液供給装置４０は、シート状部材３０の片側又は両側に設けられ、前記支持部材２５の近傍に設けられた酸原液Ｚを滴下する複数の滴下孔６１、６１…と、該各滴下孔６１、６１…から酸原液Ｚを酸処理液１１の液面に導く視認性を有する可撓性チューブ６２、６２…とを備えた管状部材６０、６０を有する。【選択図】図１
2019103484.tif 000002
【特許請求の範囲】
【請求項１】
少なくとも、酸処理液を収容する酸処理槽と、該酸処理槽内に設けられる海苔網を巻き取る巻取ロールと、前記酸処理槽の中央部に懸架された支持部材と、該支持部材から前記酸処理槽の酸処理液に垂下するシート状部材と、前記酸処理槽内に酸処理液の原液を供給する酸原液供給装置と、酸処理槽内の酸処理液のｐＨ値を検出し、その検出値に基づいて前記酸原液供給装置を作動させて、酸処理液を一定のｐＨ値に制御する制御部とを備えた海苔網の酸処理船であって、前記酸原液供給装置には、シート状部材の片側又は両側に設けられると共に、前記支持部材の近傍に設けられた酸原液を滴下する複数の滴下孔と、該各滴下孔から酸原液を酸処理液の液面に導く視認性を有する可撓性チューブとを備えた管状部材を有することを特徴とする海苔網の酸処理船。
【請求項２】
前記可撓性チューブの長さが酸処理液内に侵入する長さである請求項１記載の海苔網の酸処理船。
【請求項３】
前記可撓性チューブの長さが酸処理液の液面までの長さの２／３以上の長さである請求項１記載の海苔網の酸処理船。
【請求項４】
前記シート状部材には、可撓性チューブからの酸原液の滴下がシート状部材に付着しないように複数の開口部が形成され、該開口部の下端が液面部まで形成されていることを特徴とする請求項３記載の海苔網の酸処理船。
【請求項５】
前記可撓性チューブには、複数の滴下部を有する請求項１〜４の何れか一つに記載の海苔網の酸処理船。
【請求項６】
少なくとも、酸処理液を収容する酸処理槽と、該酸処理槽内に設けられる海苔網を巻き取る巻取ロールと、前記酸処理槽の中央部に懸架された支持部材と、該支持部材から前記酸処理槽の酸処理液に垂下するシート状部材と、前記酸処理槽内に酸処理液の原液を供給する酸原液供給装置と、酸処理槽内の酸処理液のｐＨ値を検出し、その検出値に基づいて前記酸原液供給装置を作動させて、酸処理液を一定のｐＨ値に制御する制御部とを備えた海苔網の酸処理船であって、前記酸原液供給装置には、シート状部材の両側に設けられると共に、前記支持部材の近傍に設けられた酸原液を滴下する複数の滴下孔と、視認性の可撓性チューブとを有する管状部材とを有し、一方の管状部材の各滴下孔にはそれぞれ前記可撓性チューブの一端が取り付けられ、かつ、各可撓性チューブは、酸原液を酸処理液中に流出せしめる流出孔を有すると共に、酸処理液中で折曲されると共に、シート状部材に設けた貫通孔を通過し、他方の管状部材の各滴下孔に前記可撓性チューブの他端が取り付けられることを特徴とする海苔網の酸処理船。
【請求項７】
少なくとも、酸処理液を収容する酸処理槽と、該酸処理槽内に設けられる海苔網を巻き取る巻取ロールと、前記酸処理槽の中央部に懸架された支持部材と、該支持部材から前記酸処理槽の酸処理液に垂下するシート状部材と、前記酸処理槽内に酸処理液の原液を供給する酸原液供給装置と、酸処理槽内の酸処理液のｐＨ値を検出し、その検出値に基づいて前記酸原液供給装置を作動させて、酸処理液を一定のｐＨ値に制御する制御部とを備えた海苔網の酸処理船であって、前記酸原液供給装置には、シート状部材の片側又は両側に設けられると共に、酸処理液の液面近傍に設けられた酸原液を滴下する複数の滴下孔を備えた管状部材を有することを特徴とする海苔網の酸処理船。
【請求項８】
少なくとも、酸処理液を収容する酸処理槽と、該酸処理槽内に設けられる海苔網を巻き取る巻取ロールと、前記酸処理槽の中央部に懸架された支持部材と、該支持部材から前記酸処理槽の酸処理液に垂下するシート状部材と、前記酸処理槽内に酸処理液の原液を供給する酸原液供給装置と、酸処理槽内の酸処理液のｐＨ値を検出し、その検出値に基づいて前記酸原液供給装置を作動させて、酸処理液を一定のｐＨ値に制御する制御部とを備えた海苔網の酸処理船であって、前記シート状部材には、酸原液を通過する複数の開口部が形成され、かつ、前記酸原液供給装置には、シート状部材の片側又は両側に設けられる共に、酸処理液の液面近傍に設けられた酸原液を吐出する複数の吐出孔を備えた管状部材を有し、該管状部材の吐出孔から対向する前記シート状部材の開口部内に向かって前記酸原液を吐出せしめることを特徴とする海苔網の酸処理船。
【請求項９】
少なくとも、酸処理液を収容する酸処理槽と、該酸処理槽内に設けられる海苔網を巻き取る巻取ロールと、前記酸処理槽の中央部に懸架された支持部材と、該支持部材から前記酸処理槽の酸処理液に垂下するシート状部材と、前記酸処理槽内に酸処理液の原液を供給する酸原液供給装置と、酸処理槽内の酸処理液のｐＨ値を検出し、その検出値に基づいて前記酸原液供給装置を作動させて、酸処理液を一定のｐＨ値に制御する制御部とを備えた海苔網の酸処理船であって、前記シート状部材には、更にシート状部材の両側面を覆う外シート状部材が設けられ、かつ、前記酸原液供給装置には、前記シート状部材と外シート状部材間に設けられる酸原液を滴下する複数の滴下孔を備えた管状部材を有することを特徴とする海苔網の酸処理船。
【発明の詳細な説明】
【技術分野】
【０００１】
本発明は、養殖中に海苔網に付着する珪藻類や赤腐れ菌などの菌類を酸処理剤（液）で酸処理する海苔網の酸処理船に関する。
【背景技術】
【０００２】
従来より、海苔養殖場において海面部分に展張されている海苔網に付着する珪藻類や赤腐れ菌などの菌類をクエン酸、リンゴ酸などの有機酸等の組み合わせからなる配合組成の酸処理剤によつて効果的に酸処理を施す海苔網の酸処理船は数多くの型式、構造のものが知られている。
【０００３】
このような海苔網の酸処理船としては、一般に、一定のｐＨ値の酸処理液に海苔網を浸漬することにより、海苔の成長を早め、しかも、各海苔網の成長を一定状態として、良質の海苔を収穫することができる海苔網の酸処理船である。この海苔網の酸処理船は、船内に、一定の容量の酸処理槽と、海苔網の引上装置と、同酸処理槽内に酸原液を補給する酸原液補給装置と、酸処理槽内の酸処理液のｐＨ値を検出し、その検出値に基づいて前記補給装置を作動させて、酸処理液を一定のｐＨ値、例えばｐＨ２．０前後に保持する制御部とより構成されたものである（例えば、特許文献１参照）。
【０００４】
また、小型の海苔網の酸処理船として、箱形船を用いた酸処理船が知られている。この小型の海苔網の酸処理船としては、例えば、
１）  海から海苔網を巻き上げるための海苔網巻上装置を設けた酸処理槽と、薬液を循環させるための薬液循環装置と、薬液循環装置で循環させる薬液の濃度を検出するための濃度検出装置とを有する海苔網酸処理船（例えば、特許文献２参照）、
２）  酸処理液を所望のｐＨ値に維持することが可能な箱型船として、酸処理液を貯留する酸処理槽と、該酸処理槽内に設けられ、海苔が付着した海苔網を巻き取る一対の巻取ロールとを備える箱型船であって、前記酸処理槽に設けられ、前記酸処理液のｐＨを検出するｐＨセンサと、前記巻取ロールに巻き取られる前記海苔網と干渉しない位置に設けられ、酸原液を吐出する原液吐出部と、前記ｐＨセンサの検出値に基づいて前記原液吐出部に供給する前記酸原液の供給量を自動調節する原液供給装置とを備え、前記原液吐出部は、前記一対の巻取ロールの間に設けられ、前記酸処理液の液面に対峙するように前記酸処理槽の上方に設けられた棒状部材と、該棒状部材から前記酸処理液の液面に向かって垂下するシート部材と、該シート部材の両側に前記棒状部材に沿って設けられ、前記酸原液を前記シート部材に向かって吐出する複数の吐出孔が所定間隔で形成された管状部材とを備えることを特徴とする箱型船（例えば、特許文献３参照）、
３）  海苔網の酸処理において酸原液や所望濃度よりも高い濃度の酸処理液が海苔網に接触することを抑制するために、酸原液が希釈された酸処理液を貯留する酸処理槽と、該酸処理槽内に設けられ、海苔が付着した海苔網を巻き取る巻取ロールとを備える箱型船であって、該巻取ロールから離間すると共に垂下する可撓性シート及び該可撓性シートの表面に前記酸原液を吐出する酸原液吐出部を備えており、前記酸原液を前記可撓性シートの表面を流下させて前記酸処理槽に供給する酸原液供給部とを備え、前記酸原液供給部は、前記可撓性シートの下端が前記巻取ロールに近づくように前記酸処理槽が傾斜した場合に、前記酸処理液の液面において前記可撓性シートの下端よりも前記巻取ロールから遠い位置に前記酸原液を供給することを特徴とする箱型船、並びに、前記可撓性シートは、上端が前記酸処理液の液面より上方に位置する開口あるいは切欠きを備え、前記酸原液吐出部は、前記酸原液が前記開口あるいは前記切欠きの上端に流入するように前記酸原液を吐出する形態、また、前記開口は、上下方向に多段に形成されている形態など、更に、前記可撓性シートは、上端が前記酸処理液の液面より上方に位置する切欠きを備え、かつ、該切欠きの上端から垂下する線条を備える形態などの箱型船（例えば、特許文献４参照）が知られている。
【０００５】
前記特許文献１、２の海苔網の酸処理船では、船上での海苔網の酸処理作業は忙しく、酸処理槽内に酸処理の原液が添加等されているかの確認は、原液の滴下等により確認しているものである。また、前記特許文献３の海苔網の酸処理船では、一対の巻取ロールの間に設けられた棒状部材から垂下するシート部材の両側に向かって酸原液を棒状部材に沿って設けられた管状部材に形成された複数の吐出孔から吐出するものであるため、酸処理槽内に酸処理の原液が添加等されているかの確認はシート部材に吐出された原液の流下を視認することなどにより確認できるものである。
【０００６】
しかしながら、前記特許文献３のシート部材の両側に向かって酸原液を吐出するものは、シート部材に酸原液が付着し、残存するものであり、この場合に巻取ロールで巻き取る海苔網の巻き取り量が多くなると、巻き取られた外周の海苔網がシート部材に接触したりすると、海苔網の海苔に酸原液が接触し、養殖中の海苔に損傷を与えることなどの課題がある。また、吐出孔からの吐出速度が早いと飛沫となり、空気中に拡散するなど、無駄な酸原液の消費となるなどの課題があり、また、酸原液を吐出する管状部材は、酸処理槽の上部側に設けられた棒状部材に沿って設けられるものであるため、風が強い場合は、更に無駄な酸原液の消費が生じるなどの課題がある。
上記特許文献４は、上記特許文献３を改善するものであり、波などにより酸処理槽が傾斜した場合に、海苔網の酸処理において酸原液や所望濃度よりも高い濃度の酸処理液が海苔網に接触することを抑制するために、酸原液が開口あるいは切欠きの上端に流入するように酸原液を吐出する形態や、切欠きの上端から垂下する線条を備える形態などにより、可撓性シートの下端よりも巻取ロールから遠い位置に酸原液を供給するものであるが、風などが強い場合は、酸原液が可撓性シートの表面に流下できず、所望の切欠きなどに滴下できなかったり、飛沫となって空気中に拡散したりするなどの課題があり、また、線条（紐）では、絡まったりするなどの課題が生じるものである。
【先行技術文献】
【特許文献】
【０００７】
【特許文献１】特開平５−９５７４０号公報（特許請求の範囲、図１等）
【特許文献２】実用新案登録第３２１２３０４号公報（実用新案登録請求の範囲、図１等）
【特許文献３】特許第６１６１０１６号公報（特許請求の範囲、図１，２等）
【特許文献４】特許第６２１８９８４号公報（特許請求の範囲、図１〜図４等）
【発明の概要】
【発明が解決しようとする課題】
【０００８】
本発明は、前記従来の課題等について、これを解消しようとするものであり、養殖中に海苔網に付着する珪藻類や赤腐れ菌などの菌類を酸処理剤（液）で酸処理する海苔網の酸処理船において、巻き取られた海苔網がシート状部材に残存する酸原液に接触することがなく、また、飛沫となって空気中に拡散することもなく、酸原液を酸処理液に効率よく供給できると共に、海苔網を確実に酸処理液で酸処理でき、無駄な酸原液の消費が生じることがない海苔網の酸処理船を提供することを目的とする。
【課題を解決するための手段】
【０００９】
本発明者らは、前記従来の課題等について鋭意検討した結果、少なくとも、酸処理液を収容する酸処理槽と、該酸処理槽内に設けられる海苔網を巻き取る巻取ロールと、前記酸処理槽の中央部に懸架された支持部材と、該支持部材から前記酸処理槽の酸処理液に垂下するシート状部材と、前記酸処理槽内に酸処理液の原液を供給する酸原液供給装置と、酸処理槽内の酸処理液のｐＨ値を検出し、その検出値に基づいて前記酸原液供給装置を作動させて、酸処理液を一定のｐＨ値に制御する制御部とを備えた海苔網の酸処理船において、前記酸原液供給装置には、特定構造等となる管状部材を有することにより、また、前記シート状部材には、更にシート状部材の両側面を覆う外シート状部材を設けることなどにより、前記目的の海苔網の酸処理船が得られることを見い出し、本発明を完成するに至ったのである。
【００１０】
すなわち、次の（１）〜（９）に存する。
（１）  少なくとも、酸処理液を収容する酸処理槽と、該酸処理槽内に設けられる海苔網を巻き取る巻取ロールと、前記酸処理槽の中央部に懸架された支持部材と、該支持部材から前記酸処理槽の酸処理液に垂下するシート状部材と、前記酸処理槽内に酸処理液の原液を供給する酸原液供給装置と、酸処理槽内の酸処理液のｐＨ値を検出し、その検出値に基づいて前記酸原液供給装置を作動させて、酸処理液を一定のｐＨ値に制御する制御部とを備えた海苔網の酸処理船であって、前記酸原液供給装置には、シート状部材の片側又は両側に設けられると共に、前記支持部材の近傍に設けられた酸原液を滴下する複数の滴下孔と、該各滴下孔から酸原液を酸処理液の液面に導く視認性を有する可撓性チューブとを備えた管状部材を有することを特徴とする海苔網の酸処理船。
（２）  前記視認性を有する可撓性チューブの長さが酸処理液内に侵入する長さである上記（１）記載の海苔網の酸処理船。
（３）  前記視認性を有する可撓性チューブの長さが酸処理液の液面までの長さの２／３以上の長さである上記（１）記載の海苔網の酸処理船。
（４）  前記シート状部材には、視認性を有する可撓性チューブからの酸原液の滴下がシート状部材に付着しないように複数の開口部が形成され、該開口部の下端が液面部まで形成されていることを特徴とする上記（３）記載の海苔網の酸処理船。
（５）  前記視認性を有する可撓性チューブには、複数の滴下部を有する上記（１）〜（４）の何れか一つに記載の海苔網の酸処理船。
（６）  少なくとも、酸処理液を収容する酸処理槽と、該酸処理槽内に設けられる海苔網を巻き取る巻取ロールと、前記酸処理槽の中央部に懸架された支持部材と、該支持部材から前記酸処理槽の酸処理液に垂下するシート状部材と、前記酸処理槽内に酸処理液の原液を供給する酸原液供給装置と、酸処理槽内の酸処理液のｐＨ値を検出し、その検出値に基づいて前記酸原液供給装置を作動させて、酸処理液を一定のｐＨ値に制御する制御部とを備えた海苔網の酸処理船であって、前記酸原液供給装置には、シート状部材の両側に設けられると共に、前記支持部材の近傍に設けられた酸原液を滴下する複数の滴下孔と、視認性の可撓性チューブとを有する管状部材とを有し、一方の管状部材の各滴下孔にはそれぞれ前記可撓性チューブの一端が取り付けられ、かつ、各可撓性チューブは、酸原液を酸処理液中に流出せしめる流出孔を有すると共に、酸処理液中で折曲されると共に、シート状部材に設けた貫通孔を通過し、他方の管状部材の各滴下孔に前記可撓性チューブの他端が取り付けられることを特徴とする海苔網の酸処理船。
（７）  少なくとも、酸処理液を収容する酸処理槽と、該酸処理槽内に設けられる海苔網を巻き取る巻取ロールと、前記酸処理槽の中央部に懸架された支持部材と、該支持部材から前記酸処理槽の酸処理液に垂下するシート状部材と、前記酸処理槽内に酸処理液の原液を供給する酸原液供給装置と、酸処理槽内の酸処理液のｐＨ値を検出し、その検出値に基づいて前記酸原液供給装置を作動させて、酸処理液を一定のｐＨ値に制御する制御部とを備えた海苔網の酸処理船であって、前記酸原液供給装置には、シート状部材の片側又は両側に設けられると共に、酸処理液の液面近傍に設けられた酸原液を滴下する複数の滴下孔を備えた管状部材を有することを特徴とする海苔網の酸処理船。
（８）  少なくとも、酸処理液を収容する酸処理槽と、該酸処理槽内に設けられる海苔網を巻き取る巻取ロールと、前記酸処理槽の中央部に懸架された支持部材と、該支持部材から前記酸処理槽の酸処理液に垂下するシート状部材と、前記酸処理槽内に酸処理液の原液を供給する酸原液供給装置と、酸処理槽内の酸処理液のｐＨ値を検出し、その検出値に基づいて前記酸原液供給装置を作動させて、酸処理液を一定のｐＨ値に制御する制御部とを備えた海苔網の酸処理船であって、前記シート状部材には、酸原液を通過する複数の開口部が形成され、かつ、前記酸原液供給装置には、シート状部材の片側又は両側に設けられる共に、酸処理液の液面近傍に設けられた酸原液を吐出する複数の吐出孔を備えた管状部材を有し、該管状部材の吐出孔から対向する前記シート状部材の開口部内に向かって前記酸原液を吐出せしめることを特徴とする海苔網の酸処理船。
（９）  少なくとも、酸処理液を収容する酸処理槽と、該酸処理槽内に設けられる海苔網を巻き取る巻取ロールと、前記酸処理槽の中央部に懸架された支持部材と、該支持部材から前記酸処理槽の酸処理液に垂下するシート状部材と、前記酸処理槽内に酸処理液の原液を供給する酸原液供給装置と、酸処理槽内の酸処理液のｐＨ値を検出し、その検出値に基づいて前記酸原液供給装置を作動させて、酸処理液を一定のｐＨ値に制御する制御部とを備えた海苔網の酸処理船であって、前記シート状部材には、更にシート状部材の両側面を覆う外シート状部材が設けられ、かつ、前記酸原液供給装置には、前記シート状部材と外シート状部材間に設けられる酸原液を滴下する複数の滴下孔を備えた管状部材を有することを特徴とする海苔網の酸処理船。
なお、本発明において、「滴下」とは、酸原液の自重によりそのまま鉛直方向に落下することをいい、また、「吐出」とは、酸原液が一定の圧力をもって、吐出孔から吹き出すことをいう。
【発明の効果】
【００１１】
請求項１〜５の発明によれば、酸原液供給装置には、支持部材の近傍に設けられた酸原液を滴下する複数の滴下孔と、該各滴下孔から酸原液を酸処理液の液面に導く視認性を有する可撓性チューブを備えた管状部材を有するので、飛沫となって空気中に拡散することが少なく、また、シート状部材に酸原液を吐出するものではないので、シート状部材に酸原液が残存することもなく、風が強い場合にも無駄な酸原液の消費が行われることがない海苔網の酸処理船が提供される。
請求項６の発明によれば、酸原液供給装置には、シート状部材の両側に設けられると共に、支持部材の近傍に設けられた酸原液を滴下する複数の滴下孔と、視認性の可撓性チューブとを有する管状部材とを有し、一方の管状部材の各滴下孔にはそれぞれ可撓性チューブの一端が取り付けられ、かつ、各可撓性チューブは、酸原液を酸処理液中に流出せしめる流出孔を有すると共に、酸処理液中で折曲されると共に、シート状部材に設けた貫通孔を通過し、他方の管状部材の各滴下孔に可撓性チューブの他端が取り付けられる構成としたので、飛沫となって空気中に拡散することがなく、また、酸原液を確実に酸処理液中に流出せしめるものであるので、シート状部材に酸原液が残存することもなく、風が強い場合にも無駄な酸原液の消費が行われることがない海苔網の酸処理船が提供される。
請求項７の発明によれば、酸処理液の液面近傍に設けられた酸原液を滴下する複数の滴下孔を備えた管状部材により、酸原液が滴下されるので、飛沫となって空気中に拡散することが少なく、また、シート状部材に酸原液を吐出するものではないので、シート状部材に酸原液が残存することもなく、風が強い場合にも無駄な酸原液の消費が行われることがなく、更に、巻取ロールにより巻き取られる海苔網の邪魔とならず、酸処理槽内のスペースの有効利用が図れる海苔網の酸処理船が提供される。
請求項８の発明によれば、更に該管状部材の吐出孔から対向するシート状部材の開口部内に向かって酸原液を吐出せしめるものでは、シート状部材に酸原液が付着することが更になく、良好な酸処理を施すことができる海苔網の酸処理船が提供される。
請求項９の発明によれば、シート状部材と外シート状部材間に設けられる管状部材の複数の滴下孔から酸原液が滴下されるので、飛沫となって空気中に拡散することがなく、また、シート状部材に酸原液を吐出するものではないので、シート状部材に酸原液が付着することもなく、しかも、風が強い場合にも無駄な酸原液の消費が行われることがない海苔網の酸処理船が提供される。
【図面の簡単な説明】
【００１２】
【図１】本発明の第１実施形態を示す海苔網の酸処理船の図面であり、（ａ）は概略平面図、（ｂ）は要部を示す概略正面図である。
【図２】（ａ）は図１の海苔網の酸処理船に用いる管状部材の一例を示す底面側から見た図面、（ｂ）は図１（ｂ）の概略側面図、（ｃ）は管状部材とチューブとの取り付け状態の一例を示す概略図面である。
【図３】本発明の第２実施形態を示す海苔網の酸処理船の図面であり、（ａ）は要部を示す概略正面図、（ｂ）は（ａ）の概略側面図である。
【図４】本発明の第３実施形態を示す海苔網の酸処理船の図面であり、（ａ）は要部を示す概略正面図、（ｂ）は（ａ）の概略側面図である。
【図５】本発明の第４実施形態を示す海苔網の酸処理船の図面であり、（ａ）は要部を示す概略正面図、（ｂ）は（ａ）の概略側面図である。
【図６】本発明の第５実施形態を示す海苔網の酸処理船の図面であり、（ａ）は概略平面図、（ｂ）は要部を示す概略正面図、（ｃ）は（ｂ）の概略側面図である。
【図７】本発明の第６実施形態を示す海苔網の酸処理船の図面であり、（ａ）は要部を示す概略正面図、（ｂ）は（ａ）の概略側面図である。
【図８】本発明の第７実施形態を示す海苔網の酸処理船の図面であり、（ａ）は要部を示す概略正面図、（ｂ）は（ａ）の概略側面図、（ｃ）は（ｂ）の概略側面図である。
【図９】本発明の第８実施形態を示す海苔網の酸処理船の図面であり、（ａ）は要部を示す概略正面図、（ｂ）は（ａ）の概略側面図である。
【図１０】本発明の第９実施形態を示す海苔網の酸処理船の概略平面図である。
【発明を実施するための形態】
【００１３】
以下に、本発明の各実施形態を詳しく説明する。
図１は、本発明の第１実施形態を示す海苔網の酸処理船の図面であり、（ａ）は概略平面図、（ｂ）は要部を示す概略正面図、図２（ａ）は図１の海苔網の酸処理船に用いる管状部材の一例を示す底面側から見た図面、（ｂ）は図１（ｂ）の概略側面図、（ｃ）は管状部材とチューブとの取り付け状態の一例を示す概略図面である。
本第１実施形態の海苔網の酸処理船Ａは、図１（ａ）及び（ｂ）に示すように、ＦＲＰ等の繊維強化プラスチック等から構成される樹脂製の船本体１０内に、少なくとも、酸処理液１１を収容する酸処理槽１５と、該酸処理槽１５内に設けられる海苔網（図示せず）を巻き取る巻取ロール２０と、前記酸処理槽１５の中央部に懸架された支持部材２５と、該支持部材２５から前記酸処理槽１５の酸処理液１１に向かって垂下するシート状部材３０と、前記酸処理槽１５内に酸処理液１１の酸原液Ｚを供給する酸原液供給装置４０と、酸処理槽１５内の酸処理液１１のｐＨ値を検出し、その検出値に基づいて前記酸原液供給装置４０を作動させて、酸処理液１１を一定のｐＨ値に制御する制御部５０とを備えたものである。
【００１４】
酸処理液１１は、クエン酸、リンゴ酸などの有機酸等の酸原液〔市販品があれば市販の酸処理剤（液）、本実施形態では、第一製網社製の「グローゲン」〕Ｚが海水等によって希釈されたものであり、所定のｐＨ値、例えば、ｐＨ１．７〜２．３を有する酸希釈液である。
この酸処理液１１は、酸処理槽１５内に一定量（５００〜１，０００Ｌ）が収容されており、巻き取られる海苔網（図示せず）を浸漬処理することによって海苔網に付着した海苔を酸処理するものである。
【００１５】
酸処理槽１５は、船本体１０の中央に形成された長方形状の凹状体となっており、所定量の酸処理液１１を収容するものである。酸処理槽１５の両側のスペース１６、１６には、酸原液供給装置４０、制御部５０、巻取ロール等の駆動部２２、これらを駆動するバッテリー（図示せず）などが配置されると共に、作業者が作業するスペースとなっている。
【００１６】
巻取ロール２０は、海苔網を巻き取る回転軸であり、少なくとも１つ有するものであるが、本実施形態では、酸処理槽１５内の所定の箇所に一対配置されている。この巻取ロール２０、２０は、回転自在に取り付けられており、一方の巻取ロール２０は船本体１０が前進した際（図１上では上側）に前方の海苔網を順次巻き取るものであり、他方の巻取ロール２０は、船本体１０が後進した際（図１上では下側）に後方の海苔網を順次巻き取るものである。また、本実施形態では、支持部材２５の両側近傍に、海苔網を海側に繰り出す回転軸となる繰出ロール２１、２１が回転自在に取り付けられている。
前記支持部材の両側に配置される一対の巻取ロール２０と繰出ロール２１は、スペース１６に設けられる操作装置を有する駆動部２２、２２により駆動される。
【００１７】
支持部材２５は、棒状の部材から構成され、前記酸処理槽１５の幅方向の中央部に懸架されるものであり、酸処理槽１５の両側の上面部に取付部材（図示せず）を介して又は直接固着されるものである。
この支持部材２５には、酸処理槽１５の酸処理液１１に向かって垂下する樹脂製のシート状部材３０、本実施形態では軟質塩化ビニール製のシート状部材３０が取り付けられており、本実施形態では、酸処理槽１５の酸処理液１１内の底部近傍まで配置されている。シート状部材３０の底部には重り（沈子）となる棒状の部材３１が取り付けられている。
このシート状部材３０は、シート状部材３０の両側に配置される巻取ロール２０又は繰出ロール２１に巻き取られた海苔網同士のほつれを防止する部材（カーテン）となるものである。従って、シート状部材３０の下部は、酸処理槽１５の酸処理液１１内の底部近傍まで配置されていることが好ましい。
【００１８】
酸原液供給装置４０は、図１（ａ）に示すように、酸処理槽１５のスペース１６の適宜位置（海苔網の巻き取り及び繰り出しに干渉しない程度に酸処理槽から離れ、作業の邪魔にならない、例えば、作業者簡易座席の下空間）に配置されるものであり、前記酸処理槽１５内に酸処理液１１の酸原液Ｚを供給するものである。本実施形態では、酸原液供給装置４０には、酸処理液１１の酸原液Ｚを収容する原液タンク４１と、該原液タンク４１からポンプ４２を介してライン４３により連結されている。
制御部５０は、酸処理槽１５内の適宜位置（酸処理槽の平均的ｐＨを検出可能な中央位置で、操出ロールに干渉されない、例えば、シート状部材近傍）に、酸処理液１１のｐＨ値を検出するｐＨ検出器５１を有し、ｐＨ検出器５１で検出した検出値に基づいて前記酸原液供給装置４０のポンプ４２を作動させて、酸処理槽１５内へ酸処理液の酸原液Ｚを供給して酸処理液を一定のｐＨ値に制御するための装置である。制御部５０は、ｐＨ検出器５１の検出値に基づいて、供給する酸原液Ｚの供給量を自動調節するものである。
【００１９】
シート状部材３０の上部両側には、前記支持部材２５の近傍に樹脂製の管状部材６０、本実施形態ではＦＲＰ製の管状部材６０が結束バンド等の取り付け具２６により取り付けられている。
この管状部材６０には、図１（ｂ）及び図２（ａ）〜（ｃ）に示すように、一方の開口部６０ａから酸原液Ｚが供給され、他方の端部６０ｂには栓部材６０ｃが固着されており、管状部材６０の下部（底面側）に、酸原液を滴下する複数の滴下孔６１、６１…が設けられている。この各滴下孔６１、６１…には、該滴下孔６１、６１…から滴下する酸原液Ｚを酸処理液１１の液面に導く樹脂製、エラストマー製又はゴム製の視認性を有する可撓性チューブ６２、６２…が固着、溶着、取り付け具などにより取り付けられている。
前記滴下孔６１、６１…は、所定間隔毎に設けても良いが、本実施形態では、図２（ａ）に示すように、酸原液Ｚのポンプ４２の圧力（水圧）、管状部材の長さを勘案して、各滴下孔６１、６１から同等量の酸原液を滴下せしめる点等から、滴下孔６１、６１…間の距離（長さ）を変動し、また、滴下孔６１の孔径（孔の大きさ）を変動せしめている。一例を挙げれば、全長（一方の端部から他方の端部）が１９０ｃｍであり、内径３ｍｍ、外径８ｍｍであり、５つの滴下孔６１、６１…を有し、最初の滴下孔６１（１）（中心、以下同様）までの距離が３５ｃｍ、最初の滴下孔６１（１）と次の滴下孔６１（２）までの距離が４０ｃｍ、次の滴下孔（３）、（４）までの距離が各２０ｃｍ、次の滴下孔６１（５）までの距離が４０ｃｍとなっており、滴下孔６１（１）〜（４）の孔径が１．５ｍｍ、最後の滴下孔６１（５）の孔径が１．９ｍｍとなっている。前記滴下孔６１、６１…間の距離（長さ）、また、滴下孔６１の孔径（孔の大きさ）は、酸処理槽１５の大きさ、形状、ポンプ種等により変動させることができ、本実施形態では、滴下孔６１、６１…間の間隔、滴下孔６１の孔径は漸次長く、大きくなっている。
視認性を有する可撓性チューブ６２、６２…の長さは、図１（ｂ）、図２（ｂ）に示すように、液面Ｙより下部となる酸処理液１１内に侵入する長さを有している。また、可撓性チューブ６２、６２…は、視認性を有する（肉眼で酸原液を確認できる）ものであればよく、透明、半透明の何れでもよく、透明、半透明であれば、可撓性チューブ内の酸原液Ｚの滴下が肉眼で確認できるものとなる。また、視認性を有する可撓性の孔径（内径）は、滴下孔６１の孔径と同じ又は大きい孔径となっており、本実施形態では、内径６ｍｍであり、塩化ビニール製の透明な視認性を有する可撓性チューブから構成されている。
【００２０】
このように構成される本第１実施形態の海苔網の酸処理船による海苔網の酸処理作業について、以下に、説明する。なお、船本体１０が前進する場合と後進する場合とでは、同様であるので、本実施形態においては、船本体１０が前進する場合（図１の上側）についてのみ説明する。
海苔網の酸処理船Ａを養殖している海苔網が設置されている海上まで移動させた後、船本体１０を前進せしめると、前進するにつれて、海苔網が酸処理槽１５に前方から侵入し、侵入した海苔網は、駆動部２２の駆動により巻取ロール２０が回転することによって、順次巻取ロール２０に巻き取られることとなる。巻き取られた海苔網は、酸処理槽１５内に収容されている酸処理液１１に浸漬処理され、海苔が酸処理されることとなる。
酸処理槽１５内には、酸処理液１１のｐＨをｐＨ検出器５１により検出し、このｐＨ検出器５１が検出した検出値は、制御部５０に出力される。制御部５０は、ｐＨ検出器５１から入力された検出値と予め設定した制御しきい値とに基づいて、酸原液供給装置４０のポンプ４２をフィードバック制御する。ポンプ４２は、制御部５０から入力される作動信号に基づいて、該作動信号に応じた所定量の酸原液Ｚを酸原液タンク４１から吸い出してライン４４により管状部材６０、６０に供給する。また、前記制御部５０は、ｐＨ検出器５１の検出値に基づいて、ポンプ４２を制御して酸処理液１１に供給する酸原液Ｚの供給量を自動調節することができるものである。
【００２１】
前記ｐＨ検出器５１からの作動信号を受信したポンプ４２によって酸原液タンク４１から吸い出された酸原液Ｚは、管状部材６０、６０に供給され、管状部材６０、６０に設けられた複数の滴下孔６１、６１…を介して視認性を有する可撓性チューブ６２、６２…を通過して、酸処理液１１内に滴下される。酸処理液１１内に滴下された酸原液Ｚは、酸処理液１１内で直ぐに溶解することとなる。この溶解性は、前記酸原液Ｚが水溶性であり、船本体１０の揺れ、巻取ロール２０の回転などによって酸処理液１１中に生成される回流等によって、酸処理液１１が撹拌状態となることによって、酸処理での海水により薄まった酸処理液１１中に溶解し拡散することとなり、これにより酸処理液１１中の高値に変動したｐＨ値を所定のｐＨ値にすることができる。なお、ｐＨ値の表示は、制御部５０に備えた防水性のｐＨ表示液晶画面等（図示せず）で確認することもできる。
前記酸処理する養殖海苔の付着した海苔網が巻取ロール２０への巻取りを経て更に操出ロール２１に巻き取られ、酸処理された後、繰出ロール２１に巻き付けられている海苔網は、船本体１０が前進するにつれて、船本体１０外へ巻き出されて巻き取った海苔網が設置されていた場所に設置されることとなる。
【００２２】
このように構成される本第１実施形態の海苔網の酸処理船Ａによれば、酸原液供給装置４０には、支持部材２５の近傍に設けられた酸原液Ｚを滴下する複数の滴下孔６１、６１…と、該各滴下孔６１、６１…から酸原液Ｚを酸処理液１１の液面Ｙより下の酸処理液１１内に導く視認性を有する可撓性チューブ６２、６２…を備えた管状部材６０、６０を有するので、空気中に拡散することがなく、また、シート状部材３０に酸原液Ｚを吐出するものではないので、シート状部材３０に酸原液Ｚが付着することもなく、巻き取られた海苔網がシート状部材３０に残存する酸原液に接触することがなく、また、可撓性チューブ６２、６２…を視認すれば、酸原液の滴下が肉眼で確認でき、海苔網を確実に酸処理液で酸処理でき、風が強い場合にも酸原液の飛沫もなく、無駄な酸原液の消費が行われることがない海苔網の酸処理船が得られることとなる。
【００２３】
図３は、本発明の第２実施形態を示す海苔網の酸処理船の要部を示す図面である。以下の第２実施形態〜第９実施形態において、前記第１実施形態と同様の構成は、図面において同一の図示符号を示し、その説明を省略する。また、管状部材６０、視認性を有する可撓性チューブなどの材質は上記第１実施形態と同様である。
本発明の第２実施形態を示す海苔網の酸処理船Ｂは、管状部材６０、６０に設けた図２（ａ）と同様の滴下孔６１（１）〜６１（５）に取り付けた酸処理液１１の液面に導く視認性を有する可撓性チューブを短くしたものであり、管状部材６０、６０の下部から液面Ｙまでの長さ（距離）をＸとした場合に、本実施形態のチューブ６２ａ、６２ａ…の長さは２／３Ｘであり、この長さであれば、視認性を有する可撓性チューブ６２ａ、６２ａ…から滴下する酸原液Ｚがシート状部材３０に付着することなく、酸処理液に滴下されるものとなる。
本第２実施形態においても、前記第１実施形態と同様に、酸原液供給装置４０、制御部５０等の作動により、前記酸処理作業により高値に変動した酸処理液のｐＨ値を所定のｐＨ値に自動調節することができ、また、シート状部材３０に酸原液Ｚを吐出するものではないので、シート状部材３０に酸原液Ｚが付着することもなく、巻き取られた海苔網がシート状部材３０に残存する酸原液に接触することがなく、酸原液の飛沫もなく、海苔網を確実に酸処理液で酸処理でき、無駄な酸原液の消費が行われることがない海苔網の酸処理船が提供される。
前記第２実施形態において、前記視認性を有する可撓性チューブ６２ａ、６２ａ…の長さを２／３Ｘとしたが、管状部材６０、６０の取り付け位置をシート状部材３０に滴下される酸原液Ｚが付着できない場所に取り付けたりすれば、酸処理液の液面までの長さの１／３Ｘであってもよく、また、視認性を有する可撓性チューブ６２ａ、６２ａ…の長さが前記液面に接触する長さＸであってもよい。
【００２４】
図４は、本発明の第３実施形態を示す海苔網の酸処理船の要部を示す図面である。
本発明の第３実施形態を示す海苔網の酸処理船Ｃは、前記第２実施形態において、チューブ６２ａ、６２ａ…から滴下する酸原液Ｚが風、船の揺れなどによりシート状部材３０に付着することを確実に防止するために、視認性を有する可撓性チューブ６２ａ、６２ａ…下部にあたるシート状部材３０に、視認性を有する可撓性チューブ６２ａ、６２ａ…下部毎に、開口部３２、３２…を形成したものである。これにより、視認性を有する可撓性チューブ６２ａ、６２ａ…から滴下する酸原液Ｚが風、船の揺れなどにより、真っ直ぐ滴下しなくとも、シート状部材３０に開口部３２、３２…が形成されているので、酸原液の飛沫もなく、シート状部材３０に酸原液Ｚの付着は確実に防止することができることとなる。
本第３実施形態においても、前記第１、第２実施形態と同様に、酸原液供給装置４０、制御部５０等の作動により、前記酸処理作業により高値に変動した酸処理液のｐＨ値を所定のｐＨ値に自動調節することができ、また、視認性を有する可撓性チューブ６２ａ、６２ａ…から滴下する酸原液Ｚが風、船の揺れなどにより、視認性を有する可撓性チューブ６２ａ、６２ａ…から滴下する酸原液Ｚが風、船の揺れなどにより、真っ直ぐ滴下しなくとも、シート状部材３０に開口部３２、３２…により、酸原液の飛沫もなく、シート状部材３０に酸原液Ｚの付着は確実に防止することができるため、巻き取られた海苔網がシート状部材３０に残存する酸原液に接触することがなく、海苔網を確実に酸処理液で酸処理でき、無駄な酸原液の消費が行われることがない海苔網の酸処理船が提供される。
【００２５】
図５は、本発明の第４実施形態を示す海苔網の酸処理船の要部を示す図面である。
本発明の第４実施形態を示す海苔網の酸処理船Ｄは、管状部材６０を一つとしてものであり、管状部材６０に設けた滴下孔６１、６１…に取り付けた酸処理液１１の液面に導くチューブに複数の滴下部、本実施形態では視認性を有する可撓性チューブ６３、６３…毎の下部にシート状部材を貫通させ管状部材からシート状部材越しに滴下する滴下部６３ａ、６３ａ…を設けたものである。
本第４実施形態においても、前記第１、第２実施形態と同様に、酸原液供給装置４０、制御部５０等の作動により、前記酸処理作業により高値に変動した酸処理液のｐＨ値を所定のｐＨ値に自動調節することができ、また、視認性を有する可撓性チューブ６３、６３…の下部には、シート状部材を貫通設置した滴下部６３ａ、６３ａから管状部材からシート状部材越しに滴下する酸原液Ｚは、シート状部材３０に酸原液Ｚの付着することがないため、酸原液の飛沫もなく、巻き取られた海苔網がシート状部材３０に残存する酸原液に接触することがなく、海苔網を確実に酸処理液で酸処理でき、無駄な酸原液の消費が行われることがない海苔網の酸処理船が提供される。
【００２６】
図６は、本発明の第５実施形態を示す海苔網の酸処理船の要部を示す図面である。
本発明の第５実施形態を示す海苔網の酸処理船Ｅは、酸原液を滴下する複数の滴下孔６１、６１…を備えた管状部材６０、６０が、酸処理液の液面Ｙの近傍、具体的には、液面Ｙから１〜１５ｃｍの上部に設けられたものである。本実施形態では、液面Ｙから５ｃｍの上部に設けられたものである。
本第５実施形態においても、前記第１実施形態と同様に、酸原液供給装置４０、制御部５０等の作動により、前記酸処理作業により高値に変動した酸処理液のｐＨ値を所定のｐＨ値に自動調節することができ、また、酸原液を滴下する滴下孔６１、６１…を備えた管状部材６０、６０は酸処理液の液面Ｙの近傍に設けたものであるので、管状部材６０、６０の滴下孔６１、６１…の滴下が肉眼で確認でき、シート状部材３０に酸原液が付着することもなく、しかも、巻き取られた海苔網がシート状部材３０に残存する酸原液に接触することがないので、海苔網を確実に酸処理液で酸処理できる海苔網の酸処理船が得られることとなる。
【００２７】
図７は、本発明の第６実施形態を示す海苔網の酸処理船の要部を示す図面である。
本発明の第６実施形態を示す海苔網の酸処理船Ｆは、シート状部材３０に、酸原液Ｚが通過する複数の開口部３３、３３…を形成すると共に、酸原液供給装置４０に、前記第５実施形態と同様に酸処理液の液面Ｙ近傍に設けられた酸原液を吐出する所定間隔毎に形成された複数の吐出孔６３、６３…を備えた管状部材６０を有するものであり、該吐出孔６３、６３…から対向する前記シート状部材３０の開口部３３、３３…内に向かって前記酸原液Ｚを吐出せしめる点で、前記第５実施形態と相違するものである。なお、管状部材６０、６０からの吐出孔６３、６３…からの吐出は、吐出した酸原液が同士がぶつからないように左右互い違いに吐出せしめることが好ましい。
本第６実施形態においても、前記第１、第５実施形態などと同様に、酸原液供給装置４０、制御部５０等の作動により、前記酸処理作業により高値に変動した酸処理液のｐＨ値を所定のｐＨ値に自動調節することができ、また、酸原液を吐出する吐出孔６３、６３…を備えた管状部材６０、６０は酸処理液の液面Ｙの近傍に設けたものであり、該吐出孔６３、６３…から対向する前記シート状部材３０の開口部３３、３３…内に向かって前記酸原液Ｚを吐出せしめるので、管状部材６０、６０の吐出孔６３、６３…の吐出が肉眼で確認でき、シート状部材３０に酸原液が付着することもなく、しかも、巻き取られた海苔網がシート状部材３０に残存する酸原液に接触することがないので、海苔網を確実に酸処理液で酸処理でき、無駄な酸原液の消費が行われることがない海苔網の酸処理船が提供される。
【００２８】
図８は、本発明の第７実施形態を示す海苔網の酸処理船の要部を示す図面である。
本発明の第７実施形態を示す海苔網の酸処理船Ｇは、シート状部材３０の両側外面には、更にシート状部材３０の両側面を覆う外シート状部材３５が設けられ、かつ、前記酸原液供給装置４０には、前記シート状部材３０と外シート状部材３５間に設けられる酸原液を滴下する第１実施形態と同様の図２（ａ）に示す間隔、孔径となる複数の滴下孔６４、６４…を備えた管状部材６０を有するものである。
本第７実施形態においても、前記第１、第５実施形態などと同様に、酸原液供給装置４０、制御部５０等の作動により、前記酸処理作業により高値に変動した酸処理液のｐＨ値を所定のｐＨ値に自動調節することができ、また、酸原液を滴下する滴下孔６４、６４…を備えた管状部材６０、６０は前記シート状部材３０と外シート状部材３５間に設けられるので、酸原液Ｚはシート状部材３０と外シート状部材３５間に滴下するものであるので、巻き取られた海苔網が外シート状部材３０の外面に接触しても、その外面側には酸原液Ｚは付着しない構造となるので、巻き取られた海苔網がシート状部材３０に残存する酸原液に接触することがないので、海苔網を確実に酸処理液で酸処理でき、無駄な酸原液の消費が行われることがない海苔網の酸処理船が提供される。
また、外シート状部材３５を、視認性を有する（肉眼で酸原液を確認できる透明、半透明）もので構成すれば、管状部材６０、６０の滴下孔６１、６１…の滴下が外シート状部材３５を介して肉眼で確認できるものとなる。
【００２９】
図９は、本発明の第８実施形態を示す海苔網の酸処理船の図面であり、（ａ）は要部を示す概略正面図、（ｂ）は（ａ）の概略側面図である。
本発明の第８実施形態を示す海苔網の酸処理船Ｈは、支持部材２５の近傍に取り付けられた樹脂製の管状部材６０には、図２（ａ）と同様の滴下孔６１（１）〜６１（５）が設けられており、該各滴下孔６１、６１…には、該滴下孔６１、６１…から滴下する酸原液Ｚを酸処理液１１の液面中に導く樹脂製等の一つの視認性を有する可撓性チューブ６５が固着、溶着、取り付け具などにより取り付けられている。本実施形態では、各チューブ６５…の両端は、シート状部材３０に設け貫通孔（図示せず）を介して屈曲してそれぞれの管状部材６０の滴下孔６１（１）〜６１（５）に取り付けられるものである。
視認性を有する可撓性チューブ６５には、液中に流出する流出孔６６，６６を備えている。また、本実施形態では、更に、好ましい態様として、屈曲部６５ａの上下面には、液抜け孔６７，６７を備えている。
本第８実施形態においても、酸原液供給装置には、シート状部材３０の両側に設けられると共に、前記支持部材２５の近傍に設けられた酸原液を滴下する複数の滴下孔６１、６１…と、視認性の可撓性チューブ６５、６５…とを有する管状部材６０とを有し、一方の管状部材６５の各滴下孔６１、６１…にはそれぞれ前記可撓性チューブ６５、６５…の一端が取り付けられ、かつ、各可撓性チューブ６５、６５…は、酸原液を酸処理液中に流出せしめる流出孔６６、６６を有すると共に、酸処理液中で折曲されると共に、シート状部材３０に設けた貫通孔を通過し、他方の管状部材６０の各滴下孔６１、６１…に前記可撓性チューブ６５、６５…の他端が取り付けられる構成としたので、前記第１実施形態などと同様に、酸原液供給装置４０、制御部５０等の作動により、前記酸処理作業により高値に変動した酸処理液のｐＨ値を所定のｐＨ値に自動調節することができ、また、酸原液を滴下する滴下孔６１、６１…を備えた管状部材６０、６０は前記シート状部材３０の両側に備えた管状部材６０より視認性を有する可撓性チューブ６５を介して、酸処理槽の液中に流出孔６６，６６により流出するものとなる。また、ポンプ４２が作動しなくとも、管状部材６０を通過した酸原液は液抜け孔６７，６７より自然に（重力より）流出するものとなる。更に、巻き取られた海苔網が接触する範囲には視認性を有する可撓性チューブ６５が存在しないようにできるので、海苔網を確実に酸処理液で酸処理でき、無駄な酸原液の消費が行われることがない海苔網の酸処理船が提供される。
【００３０】
図１０は、本発明の第９実施形態を示す海苔網の酸処理船の要部を示す図面である。
本発明の第９実施形態を示す海苔網の酸処理船Ｉは、シート状部材３０が存在しない場合の形態であり、酸処理槽１５の両側端部に設けた支持部材２６，２６に前記第１実施形態と同様の滴下孔６１（１）〜６１（５）を有する管状部材６０、６０を取り付けたものである。
本第９実施形態においても、酸原液供給装置４０、制御部５０等の作動により、前記酸処理作業により高値に変動した酸処理液のｐＨ値を所定のｐＨ値に自動調節することができ、また、管状部材６０の酸原液を滴下する各滴下孔６１（１）〜（５）により、酸処理槽に滴下せしめることができるものであり、海苔網を確実に酸処理液で効率的に酸処理できる海苔網の酸処理船が提供される。
【００３１】
本発明は、前記第１実施形態〜第９実施形態に限定されるものでなく、本発明の要旨を変更しない範囲で、以下の各変形の実施形態を採用することができる。
例えば、前記第１実施形態〜第３実施形態、第５実施形態〜第７実施形態では、管状部材をシート状部材の両側に設けたが、片側だけであってもよく、更に、第１実施形態〜第９実施形態において、管状部材に形成した滴下孔等の数、滴下孔に取り付けた可撓性チューブ等の数を各５個として詳述したが、処理槽の大きさなどを勘案して必要に応じて２個〜１０個の何れかの個数としてもよいものである。
また、前記第１実施形態〜第９実施形態において、酸原液Ｚのポンプ４２の圧力（水圧）、管状部材の長さを勘案して、各滴下孔６１、６１から同等量の酸原液を滴下せしめる点等から、滴下孔６１、６１…間の距離（長さ）を変動し、及び／または、滴下孔６１の孔径（孔の大きさ）を変動せしめているが、各滴下孔６１、６１の距離を所定間隔毎に設けても良く、また、同じ孔径であってもよいものである。
【産業上の利用可能性】
【００３２】
養殖中に海苔網に付着する珪藻類や赤腐れ菌などの菌類を酸処理剤（液）で効率的に酸処理を施すことができる海苔網の酸処理船に好適に利用することができる。
【符号の説明】
【００３３】
Ａ  海苔網の酸処理船
１０  船本体
１１  酸処理液
１５  酸処理槽
２０  巻取ロール
２５  支持部材
３０  シート状部材
４０  酸原液供給装置
５０  制御部
６０  管状部材
６１  滴下孔
６２  視認性を有する可撓性チューブ
【図１】
2019103484.tif 000003
【図２】
2019103484.tif 000004
【図３】
2019103484.tif 000005
【図４】
2019103484.tif 000006
【図５】
2019103484.tif 000007
【図６】
2019103484.tif 000008
【図７】
2019103484.tif 000009
【図８】
2019103484.tif 000010
【図９】
2019103484.tif 000011
【図１０】
2019103484.tif 000012
【手続補正書】
【提出日】平成30年5月14日(2018.5.14)
【手続補正１】
【補正対象書類名】特許請求の範囲
【補正対象項目名】全文
【補正方法】変更
【補正の内容】
【特許請求の範囲】
【請求項１】
少なくとも、酸処理液を収容する酸処理槽と、該酸処理槽内に設けられる海苔網を巻き取る巻取ロールと、前記酸処理槽の中央部に懸架された支持部材と、該支持部材から前記酸処理槽の酸処理液に垂下するシート状部材と、前記酸処理槽内に酸処理液の原液を供給する酸原液供給装置と、酸処理槽内の酸処理液のｐＨ値を検出し、その検出値に基づいて前記酸原液供給装置を作動させて、酸処理液を一定のｐＨ値に制御する制御部とを備えた海苔網の酸処理船であって、前記酸原液供給装置には、シート状部材の片側又は両側に設けられると共に、前記支持部材の近傍に設けられた酸原液を滴下する複数の滴下孔と、該各滴下孔から酸原液を酸処理液の液面に導く視認性を有する可撓性チューブとを備えた管状部材を有することを特徴とする海苔網の酸処理船。
【請求項２】
前記可撓性チューブの長さが酸処理液内に侵入する長さである請求項１記載の海苔網の酸処理船。
【請求項３】
前記可撓性チューブの長さが管状部材の滴下孔から酸処理液の液面までの長さの２／３以上の長さである請求項１記載の海苔網の酸処理船。
【請求項４】
前記シート状部材には、可撓性チューブからの酸原液の滴下がシート状部材に付着しないように複数の開口部が形成され、該開口部の下端が液面部まで形成されていることを特徴とする請求項３記載の海苔網の酸処理船。
【請求項５】
前記可撓性チューブには、複数の滴下部を有する請求項１〜４の何れか一つに記載の海苔網の酸処理船。
【請求項６】
少なくとも、酸処理液を収容する酸処理槽と、該酸処理槽内に設けられる海苔網を巻き取る巻取ロールと、前記酸処理槽の中央部に懸架された支持部材と、該支持部材から前記酸処理槽の酸処理液に垂下するシート状部材と、前記酸処理槽内に酸処理液の原液を供給する酸原液供給装置と、酸処理槽内の酸処理液のｐＨ値を検出し、その検出値に基づいて前記酸原液供給装置を作動させて、酸処理液を一定のｐＨ値に制御する制御部とを備えた海苔網の酸処理船であって、前記酸原液供給装置には、シート状部材の両側に設けられると共に、前記支持部材の近傍に設けられた酸原液を滴下する複数の滴下孔と、視認性の可撓性チューブとを有する管状部材とを有し、一方の管状部材の各滴下孔にはそれぞれ前記可撓性チューブの一端が取り付けられ、かつ、各可撓性チューブは、酸原液を酸処理液中に流出せしめる流出孔を有すると共に、酸処理液中で折曲されると共に、シート状部材に設けた貫通孔を通過し、他方の管状部材の各滴下孔に前記可撓性チューブの他端が取り付けられることを特徴とする海苔網の酸処理船。
【請求項７】
少なくとも、酸処理液を収容する酸処理槽と、該酸処理槽内に設けられる海苔網を巻き取る巻取ロールと、前記酸処理槽の中央部に懸架された支持部材と、該支持部材から前記酸処理槽の酸処理液に垂下するシート状部材と、前記酸処理槽内に酸処理液の原液を供給する酸原液供給装置と、酸処理槽内の酸処理液のｐＨ値を検出し、その検出値に基づいて前記酸原液供給装置を作動させて、酸処理液を一定のｐＨ値に制御する制御部とを備えた海苔網の酸処理船であって、前記シート状部材には、酸原液を通過する複数の開口部が形成され、かつ、前記酸原液供給装置には、シート状部材の片側又は両側に設けられる共に、酸処理液の液面近傍に設けられた酸原液を吐出する複数の吐出孔を備えた管状部材を有し、該管状部材の吐出孔から対向する前記シート状部材の開口部内に向かって前記酸原液を吐出せしめることを特徴とする海苔網の酸処理船。
【請求項８】
少なくとも、酸処理液を収容する酸処理槽と、該酸処理槽内に設けられる海苔網を巻き取る巻取ロールと、前記酸処理槽の中央部に懸架された支持部材と、該支持部材から前記酸処理槽の酸処理液に垂下するシート状部材と、前記酸処理槽内に酸処理液の原液を供給する酸原液供給装置と、酸処理槽内の酸処理液のｐＨ値を検出し、その検出値に基づいて前記酸原液供給装置を作動させて、酸処理液を一定のｐＨ値に制御する制御部とを備えた海苔網の酸処理船であって、前記シート状部材には、更にシート状部材の両側面を覆う外シート状部材が設けられ、かつ、前記酸原液供給装置には、前記シート状部材と外シート状部材間に設けられる酸原液を滴下する複数の滴下孔を備えた管状部材を有することを特徴とする海苔網の酸処理船。
【手続補正２】
【補正対象書類名】明細書
【補正対象項目名】００１０
【補正方法】変更
【補正の内容】
【００１０】
すなわち、次の（１）〜（８）に存する。
（１）  少なくとも、酸処理液を収容する酸処理槽と、該酸処理槽内に設けられる海苔網を巻き取る巻取ロールと、前記酸処理槽の中央部に懸架された支持部材と、該支持部材から前記酸処理槽の酸処理液に垂下するシート状部材と、前記酸処理槽内に酸処理液の原液を供給する酸原液供給装置と、酸処理槽内の酸処理液のｐＨ値を検出し、その検出値に基づいて前記酸原液供給装置を作動させて、酸処理液を一定のｐＨ値に制御する制御部とを備えた海苔網の酸処理船であって、前記酸原液供給装置には、シート状部材の片側又は両側に設けられると共に、前記支持部材の近傍に設けられた酸原液を滴下する複数の滴下孔と、該各滴下孔から酸原液を酸処理液の液面に導く視認性を有する可撓性チューブとを備えた管状部材を有することを特徴とする海苔網の酸処理船。
（２）  前記視認性を有する可撓性チューブの長さが酸処理液内に侵入する長さである上記（１）記載の海苔網の酸処理船。
（３）  前記視認性を有する可撓性チューブの長さが管状部材の滴下孔から酸処理液の液面までの長さの２／３以上の長さである上記（１）記載の海苔網の酸処理船。
（４）  前記シート状部材には、視認性を有する可撓性チューブからの酸原液の滴下がシート状部材に付着しないように複数の開口部が形成され、該開口部の下端が液面部まで形成されていることを特徴とする上記（３）記載の海苔網の酸処理船。
（５）  前記視認性を有する可撓性チューブには、複数の滴下部を有する上記（１）〜（４）の何れか一つに記載の海苔網の酸処理船。
（６）  少なくとも、酸処理液を収容する酸処理槽と、該酸処理槽内に設けられる海苔網を巻き取る巻取ロールと、前記酸処理槽の中央部に懸架された支持部材と、該支持部材から前記酸処理槽の酸処理液に垂下するシート状部材と、前記酸処理槽内に酸処理液の原液を供給する酸原液供給装置と、酸処理槽内の酸処理液のｐＨ値を検出し、その検出値に基づいて前記酸原液供給装置を作動させて、酸処理液を一定のｐＨ値に制御する制御部とを備えた海苔網の酸処理船であって、前記酸原液供給装置には、シート状部材の両側に設けられると共に、前記支持部材の近傍に設けられた酸原液を滴下する複数の滴下孔と、視認性の可撓性チューブとを有する管状部材とを有し、一方の管状部材の各滴下孔にはそれぞれ前記可撓性チューブの一端が取り付けられ、かつ、各可撓性チューブは、酸原液を酸処理液中に流出せしめる流出孔を有すると共に、酸処理液中で折曲されると共に、シート状部材に設けた貫通孔を通過し、他方の管状部材の各滴下孔に前記可撓性チューブの他端が取り付けられることを特徴とする海苔網の酸処理船。
（７）  少なくとも、酸処理液を収容する酸処理槽と、該酸処理槽内に設けられる海苔網を巻き取る巻取ロールと、前記酸処理槽の中央部に懸架された支持部材と、該支持部材から前記酸処理槽の酸処理液に垂下するシート状部材と、前記酸処理槽内に酸処理液の原液を供給する酸原液供給装置と、酸処理槽内の酸処理液のｐＨ値を検出し、その検出値に基づいて前記酸原液供給装置を作動させて、酸処理液を一定のｐＨ値に制御する制御部とを備えた海苔網の酸処理船であって、前記シート状部材には、酸原液を通過する複数の開口部が形成され、かつ、前記酸原液供給装置には、シート状部材の片側又は両側に設けられる共に、酸処理液の液面近傍に設けられた酸原液を吐出する複数の吐出孔を備えた管状部材を有し、該管状部材の吐出孔から対向する前記シート状部材の開口部内に向かって前記酸原液を吐出せしめることを特徴とする海苔網の酸処理船。
（８）  少なくとも、酸処理液を収容する酸処理槽と、該酸処理槽内に設けられる海苔網を巻き取る巻取ロールと、前記酸処理槽の中央部に懸架された支持部材と、該支持部材から前記酸処理槽の酸処理液に垂下するシート状部材と、前記酸処理槽内に酸処理液の原液を供給する酸原液供給装置と、酸処理槽内の酸処理液のｐＨ値を検出し、その検出値に基づいて前記酸原液供給装置を作動させて、酸処理液を一定のｐＨ値に制御する制御部とを備えた海苔網の酸処理船であって、前記シート状部材には、更にシート状部材の両側面を覆う外シート状部材が設けられ、かつ、前記酸原液供給装置には、前記シート状部材と外シート状部材間に設けられる酸原液を滴下する複数の滴下孔を備えた管状部材を有することを特徴とする海苔網の酸処理船。
なお、本発明において、「滴下」とは、酸原液の自重によりそのまま鉛直方向に落下することをいい、また、「吐出」とは、酸原液が一定の圧力をもって、吐出孔から吹き出すことをいう。
【手続補正３】
【補正対象書類名】明細書
【補正対象項目名】００１１
【補正方法】変更
【補正の内容】
【００１１】
請求項１〜５の発明によれば、酸原液供給装置には、支持部材の近傍に設けられた酸原液を滴下する複数の滴下孔と、該各滴下孔から酸原液を酸処理液の液面に導く視認性を有する可撓性チューブを備えた管状部材を有するので、飛沫となって空気中に拡散することが少なく、また、シート状部材に酸原液を吐出するものではないので、シート状部材に酸原液が残存することもなく、風が強い場合にも無駄な酸原液の消費が行われることがない海苔網の酸処理船が提供される。
請求項６の発明によれば、酸原液供給装置には、シート状部材の両側に設けられると共に、支持部材の近傍に設けられた酸原液を滴下する複数の滴下孔と、視認性の可撓性チューブとを有する管状部材とを有し、一方の管状部材の各滴下孔にはそれぞれ可撓性チューブの一端が取り付けられ、かつ、各可撓性チューブは、酸原液を酸処理液中に流出せしめる流出孔を有すると共に、酸処理液中で折曲されると共に、シート状部材に設けた貫通孔を通過し、他方の管状部材の各滴下孔に可撓性チューブの他端が取り付けられる構成としたので、飛沫となって空気中に拡散することがなく、また、酸原液を確実に酸処理液中に流出せしめるものであるので、シート状部材に酸原液が残存することもなく、風が強い場合にも無駄な酸原液の消費が行われることがない海苔網の酸処理船が提供される。
請求項７の発明によれば、更に該管状部材の吐出孔から対向するシート状部材の開口部内に向かって酸原液を吐出せしめるものでは、シート状部材に酸原液が付着することが更になく、良好な酸処理を施すことができる海苔網の酸処理船が提供される。
請求項８の発明によれば、シート状部材と外シート状部材間に設けられる管状部材の複数の滴下孔から酸原液が滴下されるので、飛沫となって空気中に拡散することがなく、また、シート状部材に酸原液を吐出するものではないので、シート状部材に酸原液が付着することもなく、しかも、風が強い場合にも無駄な酸原液の消費が行われることがない海苔網の酸処理船が提供される。
【手続補正書】
【提出日】平成30年6月22日(2018.6.22)
【手続補正１】
【補正対象書類名】特許請求の範囲
【補正対象項目名】請求項３
【補正方法】変更
【補正の内容】
【請求項３】
前記可撓性チューブの長さが管状部材の下部から酸処理液の液面までの長さの２／３以上の長さである請求項１記載の海苔網の酸処理船。
【手続補正２】
【補正対象書類名】明細書
【補正対象項目名】００１０
【補正方法】変更
【補正の内容】
【００１０】
すなわち、次の（１）〜（８）に存する。
（１）  少なくとも、酸処理液を収容する酸処理槽と、該酸処理槽内に設けられる海苔網を巻き取る巻取ロールと、前記酸処理槽の中央部に懸架された支持部材と、該支持部材から前記酸処理槽の酸処理液に垂下するシート状部材と、前記酸処理槽内に酸処理液の原液を供給する酸原液供給装置と、酸処理槽内の酸処理液のｐＨ値を検出し、その検出値に基づいて前記酸原液供給装置を作動させて、酸処理液を一定のｐＨ値に制御する制御部とを備えた海苔網の酸処理船であって、前記酸原液供給装置には、シート状部材の片側又は両側に設けられると共に、前記支持部材の近傍に設けられた酸原液を滴下する複数の滴下孔と、該各滴下孔から酸原液を酸処理液の液面に導く視認性を有する可撓性チューブとを備えた管状部材を有することを特徴とする海苔網の酸処理船。
（２）  前記視認性を有する可撓性チューブの長さが酸処理液内に侵入する長さである上記（１）記載の海苔網の酸処理船。
（３）  前記視認性を有する可撓性チューブの長さが管状部材の下部から酸処理液の液面までの長さの２／３以上の長さである上記（１）記載の海苔網の酸処理船。
（４）  前記シート状部材には、視認性を有する可撓性チューブからの酸原液の滴下がシート状部材に付着しないように複数の開口部が形成され、該開口部の下端が液面部まで形成されていることを特徴とする上記（３）記載の海苔網の酸処理船。
（５）  前記視認性を有する可撓性チューブには、複数の滴下部を有する上記（１）〜（４）の何れか一つに記載の海苔網の酸処理船。
（６）  少なくとも、酸処理液を収容する酸処理槽と、該酸処理槽内に設けられる海苔網を巻き取る巻取ロールと、前記酸処理槽の中央部に懸架された支持部材と、該支持部材から前記酸処理槽の酸処理液に垂下するシート状部材と、前記酸処理槽内に酸処理液の原液を供給する酸原液供給装置と、酸処理槽内の酸処理液のｐＨ値を検出し、その検出値に基づいて前記酸原液供給装置を作動させて、酸処理液を一定のｐＨ値に制御する制御部とを備えた海苔網の酸処理船であって、前記酸原液供給装置には、シート状部材の両側に設けられると共に、前記支持部材の近傍に設けられた酸原液を滴下する複数の滴下孔と、視認性の可撓性チューブとを有する管状部材とを有し、一方の管状部材の各滴下孔にはそれぞれ前記可撓性チューブの一端が取り付けられ、かつ、各可撓性チューブは、酸原液を酸処理液中に流出せしめる流出孔を有すると共に、酸処理液中で折曲されると共に、シート状部材に設けた貫通孔を通過し、他方の管状部材の各滴下孔に前記可撓性チューブの他端が取り付けられることを特徴とする海苔網の酸処理船。
（７）  少なくとも、酸処理液を収容する酸処理槽と、該酸処理槽内に設けられる海苔網を巻き取る巻取ロールと、前記酸処理槽の中央部に懸架された支持部材と、該支持部材から前記酸処理槽の酸処理液に垂下するシート状部材と、前記酸処理槽内に酸処理液の原液を供給する酸原液供給装置と、酸処理槽内の酸処理液のｐＨ値を検出し、その検出値に基づいて前記酸原液供給装置を作動させて、酸処理液を一定のｐＨ値に制御する制御部とを備えた海苔網の酸処理船であって、前記シート状部材には、酸原液を通過する複数の開口部が形成され、かつ、前記酸原液供給装置には、シート状部材の片側又は両側に設けられる共に、酸処理液の液面近傍に設けられた酸原液を吐出する複数の吐出孔を備えた管状部材を有し、該管状部材の吐出孔から対向する前記シート状部材の開口部内に向かって前記酸原液を吐出せしめることを特徴とする海苔網の酸処理船。
（８）  少なくとも、酸処理液を収容する酸処理槽と、該酸処理槽内に設けられる海苔網を巻き取る巻取ロールと、前記酸処理槽の中央部に懸架された支持部材と、該支持部材から前記酸処理槽の酸処理液に垂下するシート状部材と、前記酸処理槽内に酸処理液の原液を供給する酸原液供給装置と、酸処理槽内の酸処理液のｐＨ値を検出し、その検出値に基づいて前記酸原液供給装置を作動させて、酸処理液を一定のｐＨ値に制御する制御部とを備えた海苔網の酸処理船であって、前記シート状部材には、更にシート状部材の両側面を覆う外シート状部材が設けられ、かつ、前記酸原液供給装置には、前記シート状部材と外シート状部材間に設けられる酸原液を滴下する複数の滴下孔を備えた管状部材を有することを特徴とする海苔網の酸処理船。
なお、本発明において、「滴下」とは、酸原液の自重によりそのまま鉛直方向に落下することをいい、また、「吐出」とは、酸原液が一定の圧力をもって、吐出孔から吹き出すことをいう。